(57)【特許請求の範囲】
【請求項１】
接続部が設けられた本体を有する取付部材と、
湾曲部と、前記湾曲部に連結し、前記接続部が接続する被接続部とを有する被取付部材と、
前記取付部材と前記被取付部材とを固定する固定部材と、を備え、コントロールケーブルを所定の配索経路となるように、取付対象に取り付けるための取付構造であって、
前記被取付部材は、中空部を有する筒状に形成され、
前記取付構造はさらに、
前記被取付部材の前記中空部に挿入される円筒状の中空部材を備え、
前記中空部材は、前記中空部材の内側を通る、前記コントロールケーブルのインナーケーブルが摺動するライナーであり、
前記被接続部は、前記被取付部材の端部近傍に設けられた直線状の筒部であり、
前記接続部は、内側面が前記被接続部の外面に沿った形状を有し、
前記接続部は、前記被取付部材の端縁を覆って径方向内側に延びる折曲状部を有し、
前記取付部材は、前記被取付部材の外周に位置した状態で、前記折曲状部側の端部とは反対側の端部において、前記固定部材により固定され、
前記固定部材は、前記被取付部材の前記被接続部の外周において、前記取付部材と前記被取付部材とを固定する、溶接部、ろう付け部または接着部である、取付構造。
【請求項２】
前記中空部材の端部が径方向の外周側に凸となる鍔部を有し、
前記鍔部は、前記折曲状部と前記被取付部材の端部とで挟持される、請求項１に記載の取付構造。
【請求項３】
前記接続部は、第１開口部と、第２開口部と、前記第１開口部と前記第２開口部とに連通する連通部とを有し、
前記被取付部材の端部が前記第２開口部より挿入されて、前記取付部材に接続される、請求項１または２に記載の取付構造。
【発明の詳細な説明】
【技術分野】
【０００１】
本発明は、取付部材と、被取付部材と、固定部材とを備えた取付構造に関する。
【背景技術】
【０００２】
筒状部を有する取付部材と、筒状部の内腔に挿入された端部に取付部材が固定される被取付部材とを備える取付構造が知られている。例えば、特許文献１には、ケーブルガイドが、コントロールケーブルの端部に固定された構造が開示されている。ケーブルガイドは、その外周側から加締め加工されることで内径が縮径してコントロールケーブルを構成するケーシングキャップに固定されることで、コントロールケーブルに取り付けられている。
【先行技術文献】
【特許文献】
【０００３】
【特許文献１】実開昭６０−１９６０２２号公報
【発明の概要】
【発明が解決しようとする課題】
【０００４】
特許文献１の取付構造では、ケーブルガイドをケーシングキャップの端部に固定するためには、ケーシングキャップの端部に一定の長さの直線状の部分が必要となる。すなわち、ケーシングキャップの端部の直線状の部分の長さが短い場合などには、加締め加工を行うスペースが確保できなかったり、軸方向に十分な長さの加締め加工ができなかったりするため、特許文献１に記載の取付構造を採用できない場合がある。
【０００５】
そこで、本発明の目的は、被取付部材の直線状の部分の長さが短い場合でも、取付部材を被取付部材に固定できる取付構造を提供することにある。
【課題を解決するための手段】
【０００６】
本発明の取付構造は、接続部が設けられた本体を有する取付部材と、湾曲部と、湾曲部に連結し、接続部が接続する被接続部とを有する被取付部材と、取付部材と被取付部材とを固定する固定部材と、を備えた取付構造であって、接続部は、内側面が被取付部材の外面に沿った形状を有し、被取付部材の外周に位置した状態で固定部材により固定される。
【発明の効果】
【０００７】
本発明の取付構造によれば、被取付部材の直線状の部分の長さが短い場合でも、取付部材を被取付部材に固定できる。
【図面の簡単な説明】
【０００８】
【図１】本発明の一実施形態に係る取付構を経路ＣＬに沿って切断した断面図である。
【図２】（ａ）〜（ｆ）は実施形態に係る取付構造を組み立てる手順を示す断面図である。
【図３】コントロールケーブルの配索の一例を説明する斜視図である。
【発明を実施するための形態】
【０００９】
以下、本発明の実施形態に係る取付構造について、被取付部材３に取付部材２を取り付ける際の取付構造１を例として、図面を参照して説明する。図１に示すように、本実施形態に係る取付構造１は、取付部材２と、被取付部材３とを固定部材４とを備える。詳細は後述するが、図３に示すように、本実施形態では、被取付部材３は、操作部Ａと被操作部Ｂとを接続するコントロールケーブル９を所定の配索経路となるように案内する。取付部材２は、車体等に設けられた所定の場所に被取付部材３を取り付けるための部材である。取付部材２と被取付部材３とによって取付構造１を形成することで、被取付部材３を車体等に設けた取付対象に取付ける。本実施形態では、車体に設けられたブラケット１０が取付対象であり、取付部材２をブラケット１０に嵌合させることで、被取付部材３が車体に取付けられている。このように、本実施形態では、取付構造１は、被取付部材３に取付部材２を固定部材４により取り付ける構造として利用される。
【００１０】
取付部材２は、固定部材４によって被取付部材３に固定される部材である。取付部材２が固定部材４により被取付部材３に取り付けられることで、例えば、被取付部材３に何らかの機能を付加することができる。何らかの機能としては、例えば、上述したように取付部材２を取り付けることで、被取付部材３に取付対象への取付箇所を設けたり、被取付部材３を保護したり、被取付部材３を延長したりすることなどが挙げられる。
【００１１】
取付部材２は、本体２０と、本体２０に設けられた接続部２０ａとを有している。接続部２０ａには、被取付部材３の少なくとも一部が挿入されている。接続部２０ａは、本体２０において、後述する被取付部材３が有する被接続部３０ａに接続される部分を含む。具体的な接続部２０ａの一例としては、被取付部材３０の外周に配置される筒状の部分である。接続部２０ａは、筒状である場合の孔や凹部などの内側部を囲繞する内側面２０ａｓが、被取付部材３の被接続部３０ａの外面３０ａｓに沿った形状を有する部分を含む。内側面２０ａｓが外面３０ａｓに沿った形状を有するとは、内側面２０ａｓと外面３０ａｓとの対向個所において、接続部２０ａの内側面の少なくとも一部と被接続部３０ａの外周面の少なくとも一部とが接触しているか、固定部材４により固定できる程度に近接している状態をいう。したがって、接続部２０ａは、被取付部材３の外周に位置する部分を含めばよく、接続部２０ａと被接続部３０ａとの間には、空間が存在していてもよい。本実施例においては、内側面２０ａｓと外面３０ａｓとは共に円筒状となっている。
【００１２】
本実施形態では、図２（ａ）などに示すように、取付部材２の形状は略筒状の接続部２０ａを有し、接続部２０ａの軸方向の一端と他端とにそれぞれ設けられた第１開口部２０ａ１と、第２開口部２０ａ２と、第１開口部２０ａ１と第２開口部２０ａ２とに連通する連通部２０ａ３が形成されている。また、接続部２０ａは、本体２０ａ全体となっているが、本体２０に設けられた孔や凹部において、第２開口部２０ａ２を含む領域であればよい。接続部２０ａは、後述の固定部材４により固定部が設けられることで、取付部材２に被取付部材３が固定される構成であればよい。接続部２０ａの端部には、被取付部材３の先端に対して直接または間接に係合する係合部を設けて、本体２０ａの先端の係合部と基端側の固定部材とで取付部材２が被取付部材３に取付けられるようにすることもできる。さらに、本実施形態では、取付部材２は、本体２０の一端から径方向に突出するフランジ２０ｆを有する。フランジ２０ｆは、例えば、上述したように、車両に設けられたブラケット１０と嵌合する部位として機能する。
【００１３】
被取付部材３は、固定部材４によって取付部材２が固定される部材である。被取付部材３は、代表的には、長さを有する部材であって、図１に示すように、湾曲部３０ｂと、被接続部３０ａとを有する。湾曲部３０ｂは、被取付部材３の湾曲した部分である。湾曲部３０ｂは、被取付部材３において、例えば、（１）被取付部材３を取付対象に取り付けた際に他の部材との干渉を避ける、（２）被取付部材３の内部（後述する中空部３０など）に挿通されるインナーケーブルの配索方向を変換する、（３）内部に流通される流体の流れる方向を変換する、（４）他の部材を係止する係止部として機能させる、などのために設けられる。そのため、湾曲部３０ｂの湾曲の大きさや長さは、特に限定されず、所望の機能に応じて設定することができる。
【００１４】
被接続部３０ａは、被取付部材３において、湾曲部３０ｂに連結し、取付部材２の接続部２０ａが接続する領域である。上述したように、接続部２０ａの内側面２０ａｓが、被取付部材３の被接続部３０ａの外面３０ａｓに沿った形状を有することで、接続部２０ａが被接続部３０ａに接続することができる。本実施形態では、被接続部３０ａは、被取付部材３の端部に設けられた直線状の部分であるが、被接続部３０ａは、湾曲部３０ｂを含んでもよい。また、被接続部３０ａが設けられる箇所は、湾曲部３０ｂと連結する任意の箇所とすることができ、被取付部材３の端部以外にも設けることができる。
【００１５】
本実施形態では、被取付部材３は、中空部３０を有する。中空部３０は、被取付部材３の内部に設けられた空間である。中空部３０を有することで、中空部３０内に所望の物体を収納したり流通させたりすることができる。中空部３０は、被接続部材３の全長に亘って設けられてもよく、一部に設けられてもよい。また、端部に設けられてもよく、任意の箇所に設けられてもよい。本実施形態では、中空部３０は被接続部材３の全長に亘って設けられ、端面の両端に開口部を有している。したがって、中空部３０は、被接続部３０ａと湾曲部３０ｂとの両方に設けられている。本実施形態では、上述したように、中空部３０内には、インナーケーブル９１が挿通される。
【００１６】
取付部材２と被取付部材３の材質は特に限定されず、例えば、金属や樹脂を挙げることができる。
【００１７】
固定部材４は、取付部材２と被取付部材３とを固定する部材である。固定部材４により、取付部材２と被取付部材３とが固定されることで、取付部材２が被取付部材３に対して移動することが規制される。固定部材４が設けられる位置は、接続部２０ａを被接続部３０ａの外周に位置した状態で固定できれば特に限定されず、例えば、取付部材２と被取付部材３とを溶接やろう付けすることができる箇所とすることができる。この場合、固定部材４は、取付部材２と被取付部材３とが溶接された溶接部やろう付けされたろう付け部である。本実施形態では、固定部材４は、取付部材の第２開口部２０ａ２側の端面とこの端面の周囲にある被取付部材３とが溶接された溶接部である。また、固定部材４は、接続部２０ａと被接続部３０ａとを接着することにより形成される接着部としてもよい。固定部材４は、被取付部材３の外面の周方向に連続して形成されていてもよく、周方向に離間した複数の個所に設けてもよい。例えば、固定部材４を溶接部とする場合、複数の個所を溶接することによって、複数の固定部材４を設けることができる。
【００１８】
本実施形態では、被取付部材３が有する中空部３０には、円筒状の中空部材５が配置されている。中空部材５は、被取付部材３が有する中空部３０に配置される部材であって、本実施形態では、中空部材５は、その内部に挿通されるインナーケーブルの摺動性を向上させるために用いられるライナーとして機能する。中空部材５の材質は特に限定されず、公知の材料を中空部材５を用いる目的に応じて使用できる。また、中空部材５を設ける位置は、中空部材５を設ける目的に応じて設定でき、本実施形態のように、被取付部材３の端部に設けるだけでなく、中空部３０を有する被取付部材３の全長に亘って設けてもよく、中間部にのみ設けてもよい。
【００１９】
本実施形態では、中空部材５は、筒部５ａと、筒部５ａの一端の端部が径方向の外周側に凸となる鍔部５ｂを有している。鍔部５ｂは、被取付部材３の端部３ｃに当接することにより、筒部５ａが中空部３０の内部に入り込むことを防止している。
【００２０】
また、本実施形態では、取付部材２は、その接続部２０ａが、被取付部材３の端部３ｃを覆って径方向内側に延びる折曲状部２０ａｂを有している。そして、固定部材４は、取付部材２の本体２０の、折曲状部２０ａｂ側の端部（第２開口部２０ａ２）とは反対側の端部（第１開口部２０ａ１）と被取付部材３とを固定している。また、折曲状部２０ａｂは、端部３ｃとの間に隙間を形成するように形成され、その隙間には中空部材５の鍔部５ｂが配置されている。折曲状部２０ａｂは、鍔部５ｂに当接することにより、筒部５ａが中空部３０から抜け出ることを防止している。つまり、折曲状部２０ａｂと被取付部材３の端部３ｃとは、それらの間に中空部材５の鍔部５ｂを挟持し、中空部材５の軸方向の移動を規制している。また、固定部材４が、取付部材２が被取付部３の先端方向への移動を規制しているのに対して、折曲状部２０ａｂは、取付部材２が被取付部３の基端方向への移動を規制している。
【００２１】
本実施形態の取付構造１によれば、取付部材２と被取付部材３とを固定部材４により固定するので、被取付部材３における直線状の部分の長さが短い場合でも、取付部材２を被取付部材３に固定できる。例えば、加締め加工することによって被取付部材３と取付部材２とを固定する場合には、加締め加工を行うため、取付部材３にある程度の長さの直線状の部分が必要になる。しかし、取付構造１によれば、固定部材４により取付部材２と被取付部材３とを固定するので、加締め加工が可能な程度の長さの直線状の部分がない被取付部材３に対しても、取付部材２と被取付部材３とを固定できる。換言すれば、取付構造１によれば、長い直線状の部分を被取付部材３に設けることなく、取付部材２と被取付部材３とを固定することができるので、小型の取付構造とすることができる。また、取付構造１によれば、加締め加工を用いることなく固定するので、取付部材２や被取付部材３の形状を大きく変形させることなく、取付構造を形成することができる。
【００２２】
また、本実施形態の取付構造１によれば、折曲状部２０ａｂと被取付部材３の端部３ｃとにより形成される空間に中空部材５の鍔部５ｂが位置する。これにより、中空部材５の軸方向の移動が規制されるので、中空部材５が軸方向の所定位置に固定される。また、取付構造１によれば、加締め加工等による大きな変形が生じることなく取付部材２と被取付部材３とを固定するので、中空部３０とその内側に配置された中空部材５の内径変化を防止できる。これにより、例えば、中空部３０の内部を摺動するインナーケーブル等の摺動抵抗が上昇することなどを防止することができる。
【００２３】
次に、取付構造１を組み立てる手順の一例を説明する。図２（ａ）に示すように、接続部２０ａに、被取付部材３の端部３ｃが第２開口部２０ａ２より挿入されることで、図２（ｂ）に示すように、接続部２０ａが、被取付部材３に接続される。
【００２４】
次に、図２（ｃ）に示すように、被取付部材３の外周に固定部材４が形成されて、取付部材２と被取付部材３とが固定される。上述したように、固定部材４は、例えば、溶接部や鑞付部、接着剤が固化して形成される接着部などである。次に、図２（ｄ）に示すように、被取付部材３の中空部３０に円筒状の中空部材５が挿入され、図２（ｅ）に示すように、鍔部３ｃが被取付部材３の端面と接触するように配置される。その後、図２（ｅ）に示すように、取付部材２の本体２０における被取付部材３から遠い側の端部２２を被取付部材３の端面と対向するように折り曲げることで、図２（ｆ）に示すように、折曲状部２０ａｂが形成される。これにより、中空部材５の鍔部５ｂは、折曲状部２０ａｂと被取付部材３の端部３ｃとによって挟持された状態となり、取付構造１の組み立てが完了する。折曲状部２０ａｂは、例えば、インナーケーブルを挿通させるため、折曲状部２０ａｂの端部が中空部材５の中空部に入り込まないように折り曲げられる。
【００２５】
次に、図３を参照して、実施形態に係る取付構造１の使用例を説明する。本実施形態の取付構造１は、上述したように、コントロールケーブル９の配索方向を変換するキャップ３にアタッチメント２を取り付けるために設けられる。キャップ３にアタッチメント２が取り付けられていることで、設置対象にキャップ３を嵌合させて固定する。コントロールケーブル９は、インナーケーブル９１を備える。コントロールケーブル９は、例えば、操作部Ｂに入力された操作力をインナーケーブル９１によって被操作部Ａに伝達し、操作部Ｂにより被操作部Ａを操作するために用いられる。コントロールケーブル９は、湾曲可能な柔軟性を有し、インナーケーブル９１は、湾曲した部分を有する経路ＣＬに沿って摺動する。
【００２６】
取付構造１は、図３に示すように、取付部材２がブラケット１０に設けられた切欠に嵌合されることで、被取付部材３を固定するために設けられる。より詳細には、被取付部材３は、フランジ２０ｆがブラケット１０の端面に当接して軸方向の移動が規制されることで固定される。本実施形態においては、被取付部材３の湾曲部３０ｂは、コントロールケーブル９をブラケット１０に近接した箇所に設けられた干渉物１１を迂回した配索とするために設けられる。
【００２７】
インナーケーブル９１の端部には、例えば金属で形成されたケーブルエンド９１ａ，９１ｂが設けられている。ケーブルエンド９１ａは、被操作部９Ａの内部機構に連結され、ケーブルエンド９１ｂは操作部９Ｂに接続されている。
【００２８】
なお、本発明は、上記構成に限られることなく種々の変形が可能である。例えば、取付構造１は、被取付部材３が、中実の柱状体であってもよい。また、被取付部材３は、取付部材２の内部に端部を有するものに限られず、被取付部材３が取付部材２を貫通する取付構造１とすることができる。また、コントロールケーブル９はアウターケーシングを有してもよい。
【００２９】
また、中空部材５は、鍔部５ｂを有するものに限定されない。また、図２（ｅ）（ｆ）に示したような、固定部材４の形成後に折曲状部２０ａｂを形成する方法に変えて、折曲状部２０ａｂを形成した取付部材２を用いてもよい。この場合、例えば、中空部材５を中空部３０の挿入した後に、取付部材２を被取付部材３に固定すればよい。また、折曲状部２０ａｂを形成する場合、折曲状部２０ａｂを端部２２の全周に渡って形成する必要はなく、周方向に断続的に折曲状部２０ａｂを形成するようにしてもよい。また、取付構造１は、中空部材５を備えないものとすることができる。
【符号の説明】
【００３０】
１    取付構造
２    取付部材（アタッチメント）
２０    本体
２０ａ    接続部
２０ａ１    第１開口部
２０ａ２    第２開口部
２０ａ３    連通部
２０ａｓ    内側面
２０ａｂ    折曲状部
２０ｆ    フランジ
２２    端部
３    被取付部材（キャップ）
３０    中空部
３０ａ    被接続部
３０ａｓ    外面
３０ｂ    湾曲部
３ｃ    端部
３ｓ    外面
４    固定部材
５    中空部材
５ａ    筒部
５ｂ    鍔部
９    コントロールケーブル
９１    インナーケーブル
９１ａ，９１ｂ    ケーブルエンド
１０    ブラケット
１１    干渉物
Ａ    被操作部
Ｂ    操作部
ＣＬ    経路
【図１】
0006753689.tif 000002
【図２】
0006753689.tif 000003
【図３】
0006753689.tif 000004